【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
光軸方向に垂直な第１の方向に配列された複数のレンズ部を含むレンズ列を前記光軸方向に複数備える結像光学系と、
前記第１の方向に配列された複数の発光点を含む光源と、
前記複数のレンズ列のうち最も前記光源に近いレンズ列と前記光源との光軸方向における第１の間隔を変更する第１の変更手段と、
を有し、
前記複数の発光点の夫々は、前記レンズ列における隣り合う複数のレンズ部に光を入射させる共通の発光点であり、
前記結像光学系は、光軸方向と前記第１の方向とを含む第１の断面内では、前記光源を正立等倍で結像し、かつ、前記第１の方向に垂直な第２の断面内では、前記第１の断面内での倍率とは異なる倍率で前記光源を結像しており、
前記第１の変更手段は、前記結像光学系の非点隔差を補正するように前記第１の間隔を変更することを特徴とする光学装置。
【請求項２】
前記結像光学系は、前記第２の断面内では前記光源を倒立結像することを特徴とする請求項１に記載の光学装置。
【請求項３】
前記結像光学系は、前記第２の断面内では前記光源を倒立等倍で結像することを特徴とする請求項１に記載の光学装置。
【請求項４】
前記結像光学系は、前記第２の断面内では前記光源を拡大結像することを特徴とする請求項１又は２に記載の光学装置。
【請求項５】
前記結像光学系は、前記複数のレンズ部の夫々に対応する複数の開口が設けられた遮光部を有することを特徴とする請求項１乃至４のいずれか１項に記載の光学装置。
【請求項６】
前記結像光学系からの光を受光する検知手段をさらに備え、
前記第１の変更手段は、前記検知手段に入射した光のコントラスト、スポット径およびピーク光量のうちの少なくとも一つに基づいて、前記第１の間隔を変更することを特徴とする請求項１乃至５のいずれか１項に記載の光学装置。
【請求項７】
前記第１の変更手段は、前記結像光学系による前記第１及び第２の断面内における前記光源の結像位置が光軸方向において互いに等しくなるように、前記第１の間隔を変更することを特徴とする請求項１乃至６のいずれか１項に記載の光学装置。
【請求項８】
前記第１の変更手段は、前記第１及び第２の断面内における前記結像光学系からの光のコントラストが最大となる位置が光軸方向において互いに等しくなるように、前記第１の間隔を変更することを特徴とする請求項１乃至７のいずれか１項に記載の光学装置。
【請求項９】
前記第１の変更手段は、前記第１及び第２の断面内における前記結像光学系からの光のスポット径が最小となる位置が光軸方向において互いに等しくなるように、前記第１の間隔を変更することを特徴とする請求項１乃至７のいずれか１項に記載の光学装置。
【請求項１０】
前記第１の変更手段は、前記第１及び第２の断面内における前記結像光学系からの光のピーク光量が最大となる位置が光軸方向において互いに等しくなるように、前記第１の間隔を変更することを特徴とする請求項１乃至７のいずれか１項に記載の光学装置。
【請求項１１】
請求項１乃至１０のいずれか１項に記載の光学装置と、
前記光学装置により感光面上に形成される静電潜像をトナー像として現像する現像手段と、
前記現像手段によって現像された前記トナー像を記録媒体に転写する転写手段と、
前記転写手段によって転写された前記トナー像を前記記録媒体に定着させる定着手段と、を備えることを特徴とする画像形成装置。
【請求項１２】
前記結像光学系と前記感光面との第２の間隔を変更する第２の変更手段をさらに備えることを特徴とする請求項１１に記載の画像形成装置。
【請求項１３】
前記第２の変更手段は、前記結像光学系による前記光源の結像位置が前記感光面上になるように、前記第２の間隔を変更することを特徴とする請求項１２に記載の画像形成装置。
【請求項１４】
光軸方向に垂直な第１の方向に配列された複数のレンズ部を含むレンズ列を前記光軸方向に複数備える結像光学系と、
前記第１の方向に延在し原稿が置かれる原稿台と前記結像光学系との光軸方向における第１の間隔を変更する第１の変更手段と、
を有し、
前記原稿の各物点は、前記レンズ列における隣り合う複数のレンズ部に入射する光を出射する共通の物点であり、
前記結像光学系は、光軸方向と前記第１の方向とを含む第１の断面内では、前記原稿を正立等倍で結像し、かつ、前記第１の方向に垂直な第２の断面内では、前記第１の断面内での倍率とは異なる倍率で前記原稿を結像しており、
前記第１の変更手段は、前記結像光学系の非点隔差を補正するように前記第１の間隔を変更することを特徴とする光学装置。
【請求項１５】
前記第１の変更手段は、前記結像光学系による前記第１及び第２の断面内における前記原稿の結像位置が光軸方向において互いに等しくなるように、前記第１の間隔を変更することを特徴とする請求項１４に記載の光学装置。
【請求項１６】
前記第１の変更手段は、前記第１及び第２の断面内における前記結像光学系からの光のコントラストが最大となる位置が光軸方向において互いに等しくなるように、前記第１の間隔を変更することを特徴とする請求項１４又は１５に記載の光学装置。
【請求項１７】
前記第１の変更手段は、前記第１及び第２の断面内における前記結像光学系からの光のスポット径が最小となる位置が光軸方向において互いに等しくなるように、前記第１の間隔を変更することを特徴とする請求項１４又は１５に記載の光学装置。
【請求項１８】
前記第１の変更手段は、前記第１及び第２の断面内における前記結像光学系からの光のピーク光量が最大となる位置が光軸方向において互いに等しくなるように、前記第１の間隔を変更することを特徴とする請求項１４又は１５に記載の光学装置。
【請求項１９】
請求項１４乃至１８のいずれか１項に記載の光学装置と、該光学装置からの光を受光する受光手段と、を備えることを特徴とする画像読取装置。
【請求項２０】
前記結像光学系と前記受光手段との第２の間隔を変更する第２の変更手段をさらに備えることを特徴とする請求項１９に記載の画像読取装置。
【請求項２１】
前記第２の変更手段は、前記結像光学系による前記原稿の結像位置が前記受光手段の受光面上になるように、前記第２の間隔を変更することを特徴とする請求項２０に記載の画像読取装置。
【請求項２２】
光軸方向に垂直な第１の方向に配列された複数のレンズ部を含むレンズ列を前記光軸方向に複数備える結像光学系と、前記第１の方向に配列された複数の発光点を含む光源と、を有する光学装置の製造方法であって、
前記複数の発光点の夫々は、前記レンズ列における隣り合う複数のレンズ部に光を入射させる共通の発光点であり、
前記結像光学系は、前記光軸方向と前記第１の方向とを含む第１の断面内では、前記光源を正立等倍で結像し、かつ、前記第１の方向に垂直な第２の断面内では、前記第１の断面内での倍率とは異なる倍率で前記光源を結像しており、
前記複数のレンズ列のうち最も前記光源に近いレンズ列と前記光源との間の前記光軸方向における第１の間隔を、前記結像光学系の非点隔差を補正するように変更する工程を有することを特徴とする光学装置の製造方法。
【請求項２３】
前記結像光学系による前記第１及び第２の断面内における前記光源の結像位置が光軸方向において互いに等しくなるように、前記第１の間隔を変更する工程を有することを特徴とする請求項２２に記載の光学装置の製造方法。
【請求項２４】
前記第１及び第２の断面内における前記結像光学系からの光のコントラストが最大となる位置が光軸方向において互いに等しくなるように、前記第１の間隔を変更する工程を有することを特徴とする請求項２２又は２３に記載の光学装置の製造方法。
【請求項２５】
前記第１及び第２の断面内における前記結像光学系からの光のスポット径が最小となる位置が光軸方向において互いに等しくなるように、前記第１の間隔を変更する工程を有することを特徴とする請求項２２又は２３に記載の光学装置の製造方法。
【請求項２６】
前記第１及び第２の断面内における前記結像光学系からの光のピーク光量が最大となる位置が光軸方向において互いに等しくなるように、前記第１の間隔を変更する工程を有することを特徴とする請求項２２又は２３に記載の光学装置の製造方法。
【手続補正２】
【補正対象書類名】明細書
【補正対象項目名】０００６
【補正方法】変更
【補正の内容】
【０００６】
特許文献１に開示されている光学装置では、第１の断面内での結像倍率が第２の断面内での結像倍率と異なる（すなわち、＋１倍と−１倍）ため、光学部材に製造誤差が発生すると、それぞれの断面内における結像位置がずれる非点隔差（アス）が発生する。
上述のＬＥＤプリントヘッドのレンズ位置調整方法では、第１の断面内での結像倍率と第２の断面内での結像倍率が共に＋１倍である場合には、アスの調整が可能であるが、双方の結像倍率が異なる場合には、アスを調整することができない。
そこで本発明は、第１の断面内では第１の倍率で正立結像し、第２の断面内では、第１の倍率とは異なる第２の倍率で結像するように配置される少なくとも二つのＭＬＡを備える光学装置において、光学効率を確保しつつ、非点隔差を調整し、良好な結像性能を達成することができる光学装置を提供せんとするものである。
【手続補正３】
【補正対象書類名】明細書
【補正対象項目名】０００７
【補正方法】変更
【補正の内容】
【０００７】
本発明による光学装置は、光軸方向に垂直な第１の方向に配列された複数のレンズ部を含むレンズ列を前記光軸方向に複数備える結像光学系と、前記第１の方向に配列された複数の発光点を含む光源と、前記複数のレンズ列のうち最も前記光源に近いレンズ列と前記光源との光軸方向における第１の間隔を変更する第１の変更手段と、を有し、前記複数の発光点の夫々は、前記レンズ列における隣り合う複数のレンズ部に光を入射させる共通の発光点であり、前記結像光学系は、光軸方向と前記第１の方向とを含む第１の断面内では、前記光源を正立等倍で結像し、かつ、前記第１の方向に垂直な第２の断面内では、前記第１の断面内での倍率とは異なる倍率で前記光源を結像しており、前記第１の変更手段は、前記結像光学系の非点隔差を補正するように前記第１の間隔を変更することを特徴とする。
【手続補正４】
【補正対象書類名】明細書
【補正対象項目名】００２８
【補正方法】変更
【補正の内容】
【００２８】
次に、各光学素子の製造誤差によって非点隔差（アス）が発生する機構について説明する。